(57)【要約】      （修正有）【課題】携帯電話の充電装置の利用率を簡単に把握する。【解決手段】充電解析システム１のサーバにおいて、装置ＩＤ取得部２０１は、ユーザ端末が、充電装置のコードに対応するＵＲＬの指定のサーバにアクセスすると、充電装置の装置ＩＤを取得する。端末ＩＤ取得部２０２は、前記ユーザ端末の端末ＩＤを取得する。充電利用許可部２０５は、前記ユーザ端末が、広告画面を経由して、利用キーを選択すると、前記充電装置の利用を許可する。第二の関連付け部２０６は、関連付けられた装置ＩＤと端末ＩＤに、前記充電装置の利用を示す利用情報を関連付けて記憶させる。利用率算出部２０７は、前記データベースの装置ＩＤにおける端末ＩＤの数と、当該端末ＩＤに関連付けられた利用情報の数との比率を利用率として算出する。【選択図】図２
2019204143.tif 000002
【特許請求の範囲】
【請求項１】
ユーザ端末が、充電装置に設けられたコードを読み取り、当該コードに対応するＵＲＬの指定のサーバにアクセスすると、当該ユーザ端末がアクセスしたＵＲＬ又は当該ユーザ端末の端末位置情報に基づいて、前記充電装置の装置ＩＤを取得する装置ＩＤ取得部と、
前記アクセスしたユーザ端末の端末識別番号又はクッキーＩＤに基づいて、前記ユーザ端末の端末ＩＤを取得する端末ＩＤ取得部と、
データベースに、前記取得された装置ＩＤと前記取得された端末ＩＤとを関連付けて記憶させる第一の関連付け部と、
前記ユーザ端末のアクセスにより、前記充電装置が設置された外部施設に関係する広告画面を前記ユーザ端末に一定時間表示させる表示制御部と、
前記ユーザ端末が、前記広告画面を経由して、充電サービスの利用を行うための利用キーを選択すると、前記ユーザ端末に対する前記充電装置の利用を許可する充電利用許可部と、
前記充電装置の利用が許可された場合、前記データベースに関連付けられた装置ＩＤと端末ＩＤに、前記充電装置の利用を示す利用情報を関連付けて記憶させる第二の関連付け部と、
前記データベースの装置ＩＤにおける端末ＩＤの数を、前記サーバにアクセスしたアクセスユーザ端末の数とし、当該端末ＩＤに関連付けられた利用情報の数を、前記充電サービスを利用した利用ユーザ端末の数として算出し、前記アクセスユーザ端末の数と前記利用ユーザ端末の数との比率を利用率として算出する利用率算出部と、
を備える充電解析システム。
【請求項２】
前記充電装置にパスワード入力照合部を備え、
前記充電利用許可部は、前記充電装置の装置ＩＤと、当該充電装置のパスワード入力照合部が照合可能な設定パスワードとを関連付けた装置パスワードテーブルに基づいて、前記装置ＩＤに対応する設定パスワードを取得し、当該取得した設定パスワードを含むパスワード発行画面を前記ユーザ端末に表示させ、
前記パスワード入力照合部は、前記装置ＩＤに対応する設定パスワードをメモリに保有し、ユーザから入力された入力パスワードを受け付けると、当該入力された入力パスワードと前記メモリの設定パスワードとを比較し、前記入力パスワードが前記設定パスワードと一致する場合、前記充電装置の電力供給を実行させる
請求項１に記載の充電解析システム。
【請求項３】
前記充電装置に装置通信部を備え、
前記充電利用許可部は、前記充電装置の装置ＩＤと、当該充電装置の装置通信部をネットワーク上で特定可能な装置通信ＩＤとを関連付けた装置通信テーブルに基づいて、前記装置ＩＤに対応する装置通信ＩＤを取得し、当該取得した装置通信ＩＤ前記装置ＩＤに基づいて、前記充電装置の装置通信部に充電許可信号を送信し、
前記装置通信部は、前記充電許可信号を受信すると、前記充電装置の電力供給を実行させる。
請求項１に記載の充電解析システム。
【請求項４】
ユーザ端末が、充電装置に設けられたコードを読み取り、当該コードに対応するＵＲＬの指定のサーバにアクセスすると、当該ユーザ端末がアクセスしたＵＲＬ又は当該ユーザ端末の端末位置情報に基づいて、前記充電装置の装置ＩＤを取得する装置ＩＤ取得ステップと、
前記アクセスしたユーザ端末の端末識別番号又はクッキーＩＤに基づいて、前記ユーザ端末の端末ＩＤを取得する端末ＩＤ取得ステップと、
データベースに、前記取得された装置ＩＤと前記取得された端末ＩＤとを関連付けて記憶させる第一の関連付けステップと、
前記ユーザ端末のアクセスにより、前記充電装置が設置された外部施設に関係する広告画面を前記ユーザ端末に一定時間表示させる表示制御ステップと、
前記ユーザ端末が、前記充電サービス画面から決済画面又は広告画面を経由して、充電サービスの利用を行うための利用キーを選択すると、前記ユーザ端末に対する前記充電装置の利用を許可する充電利用許可ステップと、
前記充電装置の利用が許可された場合、前記データベースに関連付けられた装置ＩＤと端末ＩＤに、前記充電装置の利用を示す利用情報を関連付けて記憶させる第二の関連付けステップと、
前記データベースの装置ＩＤにおける端末ＩＤの数を、前記サーバにアクセスしたアクセスユーザ端末の数とし、当該端末ＩＤに関連付けられた利用情報の数を、前記充電サービスを利用した利用ユーザ端末の数として算出し、前記アクセスユーザ端末の数と前記利用ユーザ端末の数との比率を利用率として算出する利用率算出ステップと、
を備える充電解析システムの充電解析方法。
【発明の詳細な説明】
【技術分野】
【０００１】
本発明は、充電解析システム及び充電解析方法に関する。
【背景技術】
【０００２】
携帯電話、タブレット等のユーザ端末は、予め充電されたバッテリ（蓄電池）により駆動するが、ユーザの長時間の使用や近年のユーザ端末の高機能化によって、ユーザの外出中に携帯端末のバッテリが急速に切れるという事態が生じる。
【０００３】
そこで、飲食店、喫茶店、レストラン、ホテル、宿泊施設、スポーツ施設、レジャー施設等の外部施設では、サービス提供者（事業者、サービス代行会社等）が、携帯端末のバッテリを充電可能な充電装置を設置して、ユーザに有料又は無料で充電サービスを提供し、ユーザの利便性やユーザの訪問率の向上を図っている。
【０００４】
外部施設での充電サービスは、通常、有料であり、ユーザが、現金払いやクレジットカード払い等の決済を行うことで、自分の携帯端末の充電を行うことが出来る。しかしながら、このような充電サービスでは、ユーザの利便性を高めるだけで、サービス提供者に利点が少ないという課題がある。又、ユーザにとって有料の充電サービスでは、割高感があり、ユーザは気軽に利用し難いという課題がある。
【０００５】
そこで、例えば、特開２００７−１１４９６８号公報（特許文献１）には、バッテリの充電システム及び充電方法が開示されている。このシステムでは、バッテリに充電する充電装置と、サービス提供者が提供するサービス情報へアクセスするためのコードを入力するコード入力手段と、同コード入力手段により入力されたコードに基づいて前記サービス提供者が提供するサービス情報へアクセスするアクセス手段とを有する。又、前記充電装置は、前記コード入力手段により前記コードが入力され、前記アクセス手段によりサービス提供者が提供するサービス情報へアクセスされたことを確認した後、前記バッテリへの充電を開始する充電制御手段を備える。これにより、サービス提供者はサービス利用者に対してサービス情報を提供することができるという利点がある。又、サービス利用者は無料でバッテリを充電することができるという利点がある。従って、サービス提供者はサービス情報をサービス利用者に対して提供できる代償として、サービス利用者に代わりバッテリの充電に掛かる費用を負担することが可能であるため、無料で携帯電話装置等のバッテリを充電させることも可能となるとしている。
【０００６】
又、特開２００７−２８８９４０号公報（特許文献２）には、携帯機器に対し充電サービスを提供する充電器と、会員登録を条件として、前記充電器による充電を許可するチケットを含む２次元コードを前記携帯機器に付与するサーバとを備える充電サービスシステムが開示されている。このシステムの前記充電器は、電力を供給する電力供給部と、提示された２次元コードを読み取る読み取り部と、前記チケットに関するチケットデータを保持するチケットデータ保持部と、読み取られた前記２次元コードに含まれる前記チケットを前記チケットデータと照合して前記電力供給部の動作を制御する制御部とを備える。これにより、充電サービスの提供の際における課金処理を行うことなく気軽に利用することができるとしている。
【先行技術文献】
【特許文献】
【０００７】
【特許文献１】特開２００７−１１４９６８号公報
【特許文献２】特開２００７−２８８９４０号公報
【発明の概要】
【発明が解決しようとする課題】
【０００８】
しかしながら、上述した特許文献１、２に記載の技術では、充電サービスの提供について、有料、無料を問わず、ユーザがどれくらい充電サービスを利用しているのかを把握することが出来ないという課題がある。
【０００９】
又、充電サービスは、市販の充電装置を外部施設に設置するだけで、外部施設側で簡単に提供することが出来るが、通常、外部施設の種類に応じて、外部施設に訪問するユーザの種類（旅行客、外国人、会社員等）が異なり、外部施設の充電装置毎に充電サービスの利用率が異なる。一方で、この充電サービスの利用率を算出する方法が無いため、充電装置毎の充電サービスの有効性を検討することが出来ないという課題がある。
【００１０】
そこで、本発明は、前記課題を解決するためになされたものであり、充電装置に対するユーザの利用率を簡単に把握することが可能な充電解析システム及び充電解析方法を提供することを目的とする。
【課題を解決するための手段】
【００１１】
本発明に係る充電解析システムは、装置ＩＤ取得部と、端末ＩＤ取得部と、第一の関連付け部と、表示制御部と、充電利用許可部と、第二の関連付け部と、利用率算出部とを備える。装置ＩＤ取得部は、ユーザ端末が、充電装置に設けられたコードを読み取り、当該コードに対応するＵＲＬの指定のサーバにアクセスすると、当該ユーザ端末がアクセスしたＵＲＬ又は当該ユーザ端末の端末位置情報に基づいて、前記充電装置の装置ＩＤを取得する。端末ＩＤ取得部は、前記アクセスしたユーザ端末の端末識別番号又はクッキーＩＤに基づいて、前記ユーザ端末の端末ＩＤを取得する。第一の関連付け部は、データベースに、前記取得された装置ＩＤと前記取得された端末ＩＤとを関連付けて記憶させる。表示制御部は、前記ユーザ端末のアクセスにより、前記充電装置が設置された外部施設に関係する広告画面を前記ユーザ端末に一定時間表示させる。充電利用許可部は、前記ユーザ端末が、前記広告画面を経由して、充電サービスの利用を行うための利用キーを選択すると、前記ユーザ端末に対する前記充電装置の利用を許可する。第二の関連付け部は、前記充電装置の利用が許可された場合、前記データベースに関連付けられた装置ＩＤと端末ＩＤに、前記充電装置の利用を示す利用情報を関連付けて記憶させる。利用率算出部は、前記データベースの装置ＩＤにおける端末ＩＤの数を、前記サーバにアクセスしたアクセスユーザ端末の数とし、当該端末ＩＤに関連付けられた利用情報の数を、前記充電サービスを利用した利用ユーザ端末の数として算出し、前記アクセスユーザ端末の数と前記利用ユーザ端末の数との比率を利用率として算出する。
【００１２】
又、本発明に係る充電解析システムの充電解析方法は、充電解析システムの各部と同様に、装置ＩＤ取得ステップと、端末ＩＤ取得ステップと、第一の関連付けステップと、表示制御ステップと、充電利用許可ステップと、第二の関連付けステップと、利用率算出ステップとを備える。
【発明の効果】
【００１３】
本発明によれば、充電装置に対するユーザの利用率を簡単に把握することが可能となる。
【図面の簡単な説明】
【００１４】
【図１】本発明に係る充電解析システムの概略図である。
【図２】本発明に係る充電解析システムの機能ブロック図である。
【図３】本発明に係る充電解析方法の実行手順を示すフローチャートである。
【図４】ユーザ端末を保有するユーザが充電装置で充電サービスを利用する場合の一例を示す図（図４Ａ）と、ユーザ端末が充電装置のコードを読み取った場合の一例を示す図（図４Ｂ）と、である。
【図５】サーバが装置ＩＤと端末ＩＤとを取得する場合の一例を示す図（図５Ａ）と、装置端末テーブルと充電サービス画面の表示の一例を示す図（図５Ｂ）と、である。
【図６】広告画面の表示と一定時間経過後の利用キーの表示の一例を示す図（図６Ａ）と、決済画面と決済完了画面の表示の一例を示す図（図６Ｂ）と、である。
【図７】装置パスワードテーブルとパスワード発行画面の表示一例を示す図（図７Ａ）と、充電装置へのパスワードの入力による充電装置の充電開始の一例を示す図（図７Ｂ）と、である。
【図８】充電開始画面の表示の一例を示す図（図８Ａ）と、装置通信テーブルと充電装置へ無線通信による充電装置の充電開始の一例を示す図（図８Ｂ）と、である。
【図９】ユーザ端末が充電サービスを利用した場合と利用しなかった場合の利用率の算出の一例を示す図（図９Ａ）と、複数のユーザ端末の充電サービスの利用の履歴が蓄積された場合の利用率の算出の一例を示す図（図９Ｂ）と、である。
【図１０】日毎又は時間帯毎の利用率の算出の一例を示す図（図１０Ａ）と、充電装置毎の利用率の算出の一例を示す図（図１０Ｂ）と、である。
【発明を実施するための形態】
【００１５】
以下に、添付図面を参照して、本発明の実施形態について説明し、本発明の理解に供する。尚、以下の実施形態は、本発明を具体化した一例であって、本発明の技術的範囲を限定する性格のものではない。
【００１６】
本発明に係る充電解析システム１は、図１に示すように、ユーザ端末１０と、外部施設１１に設けられた充電装置１２と、通信用のネットワーク１３と、サーバ１４とを備えている。ユーザ端末１０と、サーバ１４とは、ネットワーク１３を介して無線通信可能である。
【００１７】
ユーザ端末１０は、画面を表示する端末表示部（出力部）と、ユーザの操作により所定の指示の入力を受け付ける端末受付部（入力部）と、カメラによりコードの入力を受け付けるコード入力部と、無線通信用の端末通信部と、データを記憶させる端末記憶部と、各部を制御する端末制御部とを備えている。又、ユーザ端末１０は、充電用の電源コネクタを装着可能な充電端子１０ａを備える。例えば、タッチパネル付きの携帯端末装置（スマートフォン）、タブレット型端末装置、携帯用のノートパソコン等である。
【００１８】
外部施設１１は、飲食店、喫茶店、レストラン、ホテル、宿泊施設、スポーツ施設、レジャー施設等であり、ユーザ端末１０のユーザが訪問し、所定のサービスを受ける場所である。外部施設１１の事業主等は、充電装置１２を外部施設１１の所定の場所で、且つ、ユーザの目に付く場所に設置し、当該充電装置１２を用いてユーザ端末１０のユーザに充電サービスを提供する。充電装置１２が設置される場所は、外部施設１１に近接していれば、内部、外部を問わない。
【００１９】
充電装置１２は、ユーザ端末１０を充電することが可能であれば、その構成に特に限定は無い。充電装置１２が、電源コネクタを介してユーザ端末１０を充電する場合は、例えば、外部施設１１のコンセントに装着された電源プラグ１２ａと、電源プラグ１２ａからの電力の供給を制御する装置本体部１２ｂと、本体部１２ｂからの電力を供給する充電用の電源コネクタ１２ｃと、ＵＲＬ（Ｕｎｉｆｏｒｍ  Ｒｅｓｏｕｒｃｅ  Ｌｏｃａｔｏｒ）を符号化したコード１２ｄ（二次元コード、例えば、ＱＲコード（登録商標））とを備える。
【００２０】
充電装置１２の電力供給の制御方法は、２種類あり、１つは、充電装置１２にパスワード入力照合部１２ｅを設け、ユーザによりパスワード入力照合部１２ｅで入力された入力パスワードの適否に基づいて充電装置１２が電力供給を許否する方法である。もう１つは、外部施設１１にルータ１５を設け、充電装置１２に装置通信部１２ｆを設け、充電装置１２は、装置通信部１２ｆとルータ１５とを介してサーバ１４と無線通信可能であり、サーバ１４からルータ１５を経由して送信された充電許可信号に基づいて充電装置１２が電力供給を許可する方法である。
【００２１】
サーバ１４は、一般的に使用されるコンピュータ等であり、無線及び有線通信用のサーバ通信部と、データを蓄積するサーバ記憶部と、各種処理するサーバ処理部（装置ＩＤ取得部と、端末ＩＤ取得部と、第一の関連付け部と、表示制御部と、充電利用許可部と、第二の関連付け部と、利用率算出部）とを備えている。サーバ１４は、ネットワーク１３を経由してユーザ端末１０とデータの送受信をしたり、ネットワーク１３を経由してルータ１５から充電装置１２にデータの送信をしたりする。
【００２２】
ルータ１５は、サーバ１４が接続されたネットワーク１３を中継する中継機器（アクセスポイント）である。ユーザ端末１０は、ルータ１５を経由してサーバ１４にアクセスしても良いし、ネットワーク１３を経由してサーバ１４に直接アクセスしても良い。
【００２３】
ユーザ端末１０と、充電装置１２と、サーバ１４と、ルータ１５とは、図示しないＣＰＵ、ＲＯＭ、ＲＡＭ、ＨＤＤ、ＳＳＤ等を内蔵しており、ＣＰＵは、例えば、ＲＡＭを作業領域として利用し、ＲＯＭ、ＨＤＤ、ＳＳＤ等に記憶されているプログラムを実行する。又、後述する各部についても、ＣＰＵがプログラムを実行することで当該各部を実現する。
【００２４】
次に、図２−図８を参照しながら、本発明の実施形態に係る構成及び実行手順について説明する。先ず、ユーザ端末１０を所有するユーザが、図４Ａに示すように、外部施設１１に入り、ユーザ端末１０のバッテリを充電したいと思い、充電サービスを受けるために、外部施設１１の充電装置１２を見つけ、ユーザ端末１０の充電端子１０ａに充電装置１２の電源コネクタ１２ｃを装着する。尚、ユーザは、必ずしも充電端子１０ａをで電源コネクタ１２ｃに装着する必要は無い。
【００２５】
次に、ユーザは、充電装置１２のコード１２ｄを確認して、ユーザ端末１０をコード読取モードに設定させ、図４Ｂに示すように、ユーザ端末１０の端末表示部にスキャン画面４００を表示させる。そして、ユーザは、ユーザ端末１０のコード入力部を操作し、カメラで充電装置１２のコード１２ｄを読み取ると、ユーザ端末１０は、図４Ｂに示すように、コード入力部によりコード１２ｄから文字情報に変換し、スキャン結果画面４０１を端末表示部に表示させる。
【００２６】
スキャン結果画面４０１には、リンク先としてコード１２ｄに対応するＵＲＬ４０２と、ＵＲＬ４０２へアクセスするための「リンク先を開く」キー４０３と、キャンセルキー４０４とが表示される。
【００２７】
ここで、ユーザは、気が変わって、キャンセルキー４０４を選択すると、ユーザ端末１０は、端末受付部を介してキャンセルキー４０４の選択を受け付け、スキャン結果画面４０１を消去し、ＵＲＬ４０２へのアクセスを実行しない（図３：Ｓ１０１ＮＯ）。
【００２８】
一方、ユーザは、ＵＲＬ４０２を確認して、「リンク先を開く」キー４０３を選択すると、ユーザ端末１０は、端末受付部を介して「リンク先を開く」キー４０３の選択を受け付け、ＵＲＬ４０２の指定のサーバ１４へ、ネットワーク１３を経由してアクセスする（図３：Ｓ１０１ＹＥＳ）。
【００２９】
すると、サーバ１４の装置ＩＤ取得部２０１は、図５Ａに示すように、当該ユーザ端末１０がアクセスしたＵＲＬ４０２又は当該ユーザ端末１０の端末位置情報に基づいて、前記充電装置１２の装置ＩＤ（例えば、「ａｂｃ」）を取得する（図３：Ｓ１０２）。
【００３０】
ここで、装置ＩＤ取得部２０１が装置ＩＤを取得する方法に特に限定は無い。例えば、コード１２ｄに対応するＵＲＬ４０２に充電装置１２の装置ＩＤを含ませておき、ユーザ端末１０が、装置ＩＤを含むＵＲＬ４０２の指定のサーバ１４にアクセスすると、装置ＩＤ取得部２０１が、ユーザ端末１０のアクセスしたＵＲＬ４０２の中から装置ＩＤを取得する。装置ＩＤは、充電装置１２を識別出来る情報であれば良く、文字や数字の組み合わせ等で構わない。
【００３１】
又、他の方法として、例えば、ユーザ端末１０が、ＵＲＬ４０２の指定のサーバ１４へアクセスする際に、サーバ１４にユーザ端末１０の端末位置情報を送信するように構成しても良い。端末位置情報は、例えば、ユーザ端末１０に予め設けられたＧＰＳ機能やＢｅａｃｏｎ機能等で得られる。ユーザ端末１０が端末位置情報を送信する構成に特に限定は無く、例えば、スキャン結果画面４０１の「リンク先を開く」キー４０３が選択された場合に、次の画面として、ユーザ端末１０の端末位置情報の送信を促す位置情報送信画面を表示させ、ユーザが位置情報送信画面の操作を介して端末位置情報を送信するように構成すれば良い。その他、ユーザ端末１０が、スキャン結果画面４０１の「リンク先を開く」キー４０３が選択された場合に、位置情報送信画面を表示させること無く、自動的に端末位置情報をサーバ１４に送信する構成でも構わない。一方、装置ＩＤ取得部２０１は、充電装置１２が設置され、前記端末位置情報の種類（単位）と同じ種類の装置位置情報と、当該充電装置１２の装置ＩＤとを関連付けた装置位置テーブルを保有し、ユーザ端末１０から端末位置情報を受信すると、当該端末位置情報と前記装置テーブルの装置位置情報とを照合し、端末位置情報と照合した装置位置情報に対応する装置ＩＤを装置位置テーブルから取得する。これにより、装置ＩＤ取得部２０１は装置ＩＤを取得することが出来る。
【００３２】
このように、ユーザ端末１０のアクセスの際に、充電装置１２の装置ＩＤを取得することで、ユーザ端末１０がどこの充電装置１２のコード１２ｄからサーバ１４にアクセスしたかを具体的に特定することが出来る。
【００３３】
次に、サーバ１４の端末ＩＤ取得部２０２は、図５Ａに示すように、前記アクセスしたユーザ端末１０の端末識別番号又はクッキーＩＤに基づいて、前記ユーザ端末１０の端末ＩＤ（例えば、「ａ０１」）を取得する（図３：Ｓ１０３）。
【００３４】
ここで、端末ＩＤ取得部２０２が端末ＩＤを取得する方法に特に限定は無い。例えば、ユーザ端末１０がサーバ１４にアクセスした際に、端末ＩＤ取得部２０２がユーザ端末１０から端末識別番号を端末ＩＤとして取得する。端末識別番号は、ユーザ端末１０を識別出来る番号であれば良く、例えば、ＩＰアドレス、ＭＡＣアドレス、製造番号（ｕｔｎ番号）、サブスクライバ番号等を挙げることが出来る。
【００３５】
又、他の方法として、例えば、ユーザ端末１０がサーバ１４にアクセスした際に、端末ＩＤ取得部２０２が、ユーザ端末１０のブラウザにサーバ１４特有のクッキーＩＤが存在するか否かを判定する。クッキーＩＤが存在しない場合は、端末ＩＤ取得部２０２が、クッキーＩＤを発行して、ユーザ端末１０のブラウザにクッキーＩＤを割り付け、割り付けたクッキーＩＤを端末ＩＤとして取得する。このクッキーＩＤは、サーバ１４にアクセスしたユーザ端末１０を識別するための識別情報である。一方、ユーザ端末１０のブラウザにクッキーＩＤが存在する場合は、端末ＩＤ取得部２０２は、存在したクッキーＩＤを端末ＩＤとして取得する。この場合、端末ＩＤ取得部２０２が、クッキー（Ｃｏｏｋｉｅ）の仕組みを利用して、クッキーＩＤをユーザ端末１０の端末ＩＤとして取得するため、クッキーＩＤを利用して、ユーザ端末１０のアクセス履歴も取得することが出来る。
【００３６】
このように、ユーザ端末１０のアクセスの際に、ユーザ端末１０の端末ＩＤを取得することで、どこのユーザ端末１０が充電装置１２のコード１２ｄからサーバ１４にアクセスしたかを具体的に特定することが出来る。
【００３７】
更に、サーバ１４の第一の関連付け部２０３は、データベースに、前記取得された装置ＩＤと前記取得された端末ＩＤとを関連付けて記憶させる（図３：Ｓ１０４）。
【００３８】
ここで、第一の関連付け部２０３が装置ＩＤと端末ＩＤとを関連付けて記憶させる方法に特に限定は無い。例えば、第一の関連付け部２０３は、図５Ｂに示すように、データベースとする装置端末テーブル５００を参照し、当該参照した装置端末テーブル５００に、取得された装置ＩＤ５０１（「ａｂｃ」）と、取得された端末ＩＤ５０２（「ａ０１」）とを関連付けて記憶させる。これにより、ユーザ端末１０を充電装置１２に紐付けることが可能となる。
【００３９】
そして、サーバ１４の表示制御部２０４は、ユーザ端末１０のアクセスに応答して、ＵＲＬ４０２に対応する充電サービス画面をユーザ端末１０の端末表示部に表示させる（図３：Ｓ１０５）。
【００４０】
充電サービス画面５０３には、図５Ｂに示すように、充電を促すメッセージ「充電をしますか？」５０４と、ＯＫキー５０５と、キャンセルキー５０６とが表示される。
【００４１】
ユーザは、充電サービス画面５０３を見ながら、気が変わって、キャンセルキー５０６を選択すると（図３：Ｓ１０６ＮＯ）、ユーザ端末１０は、端末受付部を介してキャンセルキー５０６の選択を受け付け、充電サービス画面５０３を消去する（図３：Ｓ１０７）。この場合、装置端末テーブル５００に装置ＩＤ５０１（「ａｂｃ」）と端末ＩＤ５０２（「ａ０１」）とが関連付けて記憶されているため、ユーザ端末１０がサーバ１４にアクセスしたものの、充電サービスを受けなかったという履歴を残すことが可能となり、この情報に基づいて充電装置１２の利用率を算出することが出来る（後述する）。
【００４２】
一方、ユーザは、充電サービス画面５０３を見ながら、ＯＫキー５０５を選択すると（図３：Ｓ１０６ＹＥＳ）、ユーザ端末１０は、端末受付部を介してＯＫキー５０５の選択を受け付け、ＯＫキー５０５に対応する信号を表示制御部２０４に送信する。表示制御部２０４は、ＯＫキー５０５に対応する信号を受信すると、次に、充電装置１２が設置された外部施設１１に関係する広告画面をユーザ端末１０の端末表示部に一定時間表示させる。
【００４３】
ここで、表示制御部２０４が広告画面を一定時間表示させる方法に特に限定は無い。例えば、先ず、表示制御部２０４が、広告画面をユーザ端末１０の端末表示部に表示させる（図３：Ｓ１０８）。
【００４４】
広告画面６００には、図６Ａに示すように、広告情報６０１と、キャンセルキー６０２とが表示される。広告情報６０１は、例えば、充電装置１２が設置された外部施設１１のお知らせ情報、お得情報、クーポン情報、外部施設１１の事業者等の紹介情報、説明情報等である。広告情報６０１の形態に特に限定は無く、静止画であっても動画であっても構わない。又、広告画面６００には、広告情報６０１に加えて、外部施設１１以外に関係する他の広告情報が含まれても構わない。
【００４５】
ここで、ユーザが、広告画面６００を見ながら、気が変わって、キャンセルキー６０２を選択すると（図３：Ｓ１０９ＹＥＳ）、ユーザ端末１０は、端末受付部を介してキャンセルキー６０２の選択を受け付け、広告画面６００を消去する（図３：Ｓ１０７）。この場合、ユーザに、広告情報６０１を十分に確認させることが出来ないため、っサーバ１４は、充電サービスの利用を許可しないことになる。又、サーバ１４にアクセスしたユーザ端末１０が充電サービスを受けなかったという履歴が残るため、この情報に基づいて充電装置１２の利用率を算出することが出来る（後述する）。
【００４６】
一方、ユーザは、広告画面６００を見ながら、キャンセルキー６０２を選択しない場合（図３：Ｓ１０９ＮＯ）、表示制御部２０４は、広告画面を表示した時点からの経過時間をタイマー部で計時し、当該計時した経過時間が、予め設定された一定時間を超過したか否かを判定する（図３：Ｓ１１０）。
【００４７】
前記経過時間が前記一定時間を超過しない場合（図３：Ｓ１１０ＮＯ）、表示制御部２０４は、Ｓ１０９へ戻り、広告画面６００の表示を継続する。これにより、ユーザに広告情報６０１を十分に確認させることが出来る。
【００４８】
一方、前記経過時間が前記一定時間を超過した場合（図３：Ｓ１１０ＹＥＳ）、表示制御部２０４は、広告画面６００のキャンセルキー６０２を消去して、図６Ａに示すように、広告画面６００に、充電サービスの利用を促すメッセージ「充電サービスを利用出来ます。」６０３と、充電サービスの利用を行うための利用キー６０４とを表示させる。これにより、ユーザに、広告情報６０１を十分に確認させることが可能となり、充電サービスを利用するユーザに、外部施設１１に関係する情報を知らせて、外部施設１１の利用を促すことが可能となる。
【００４９】
ここで、ユーザに広告画面６００を一定時間見せることで、充電サービスを無料にしても良いし、広告画面６００の前後に決済画面を設けて、充電サービスを有料にしても構わない。
【００５０】
例えば、表示制御部２０４が、広告画面６００の前に決済画面を表示させる場合、充電サービス画面５０３のＯＫキー５０５に対応する信号を受信すると、決済画面をユーザ端末１０の端末表示部に表示させる。
【００５１】
決済画面６０５には、図６Ｂに示すように、充電サービスの価格６０６と、決済を促すメッセージ「決済しますか？」６０７と、ＯＫキー６０８と、キャンセルキー６０９とが表示される。
【００５２】
ユーザは、決済画面６０５を見ながら、ＯＫキー６０８を選択すると、ユーザ端末１０は、端末受付部を介してＯＫキー６０８の選択を受け付け、決済画面６０５から決済処理を行う決済処理画面に移行させる。これにより、ユーザは、決済処理画面で充電サービスの価格を支払うことが出来る。
【００５３】
ここで、決済処理画面は、例えば、クレジットカードや電子マネー等の決済処理画面に相当し、サーバ１４が提供しても良いし、他の決済専門のサーバが提供しても良い。支払元は、ユーザ端末１０のユーザとなり、支払先は、充電サービスを提供するサービス提供者（外部施設１１の事業者、サービス代行会社等）となる。
【００５４】
ユーザ端末１０で決済処理画面における決済処理が完了すると、表示制御部２０４は、ユーザ端末１０の端末表示部に決済完了画面を表示させる。
【００５５】
決済完了画面６１０には、図６Ｂに示すように、充電サービスの利用を促すメッセージ「充電サービスを利用出来ます。」６１１と、ＯＫキー６１２とが表示される。尚、決済画面６０５が決済処理画面６１０を兼ねている場合には、決済処理の完了後に、決済画面６０５にＯＫキー６１２を表示させても良い。
【００５６】
さて、ユーザが、決済完了画面６１０のＯＫキー６１２を選択すると、表示制御部２０４がＯＫキー６１２に対応する信号を受信し、Ｓ１０８に移行し、広告画面をユーザ端末１０の端末表示部に表示させることになる（図３：Ｓ１０８）。これにより、決済を完了したユーザに広告情報６０１を確認させることが出来る。
【００５７】
ところで、表示制御部２０４が、広告画面６００の後に決済画面を表示させる場合、Ｓ１１０ＹＥＳにおいて、広告画面６００に、決済キーを表示させ、ユーザが決済キーを選択すると、表示制御部２０４が決済キーに対応する信号を受信して、上述した決済画面をユーザ端末１０の端末表示部に表示させる。
【００５８】
そして、ユーザが、決済画面を経由して、決済処理を完了すると、表示制御部２０４は、充電サービスの利用を行うための利用キーを決済完了画面に表示させる。これにより、広告情報６０１を確認させたユーザに決済をさせることが可能となる。
【００５９】
さて、ユーザが、広告画面６００（又は決済完了画面）における利用キー６０４を選択すると（図３：Ｓ１１１ＹＥＳ）、ユーザ端末１０は、端末受付部を介して利用キー６０４の選択を受け付け、利用キー６０４に対応する信号をサーバ１４に送信し、サーバ１４の充電利用許可部２０５は、前記ユーザ端末１０に対する充電装置１２の利用を許可する（図３：Ｓ１１２）。
【００６０】
ここで、充電利用許可部２０５が充電装置１２の利用を許可する方法に特に限定は無い。例えば、充電装置１２にパスワード入力照合部１２ｅが設けられている場合は、充電利用許可部２０５は、先ず、装置端末テーブル５００から、現在、アクセスしているユーザ端末１０の端末ＩＤ５０２を参照し、当該参照した端末ＩＤ５０２に対応する装置ＩＤ５０１を取得する。次に、充電利用許可部２０５は、装置パスワードテーブルを参照する。
【００６１】
装置パスワードテーブル７００には、図７Ａに示すように、充電装置１２の装置ＩＤ７０１と、当該充電装置１２のパスワード入力照合部１２ｅが照合可能な設定パスワード７０２とが関連付けられて記憶されている。この設定パスワード７０２は、ユーザの不正利用を防止するために、例えば、ワンタイムパスワードが好ましい。
【００６２】
充電利用許可部２０５は、装置パスワードテーブル７００から、取得した装置ＩＤ７０１を参照し、当該参照した装置ＩＤ７０１に対応する設定パスワード７０２を取得する。そして、充電利用許可部２０５は、当該取得した設定パスワード７０２を含むパスワード発行画面をユーザ端末１０の端末表示部に表示させる。
【００６３】
パスワード発行画面７０３には、図７Ａに示すように、充電装置１２に入力すべき設定パスワード７０４（例えば、「１２３４」）と、充電装置１２へのパスワードの入力を促すメッセージ「充電装置に［１２３４］（パスワード）を入力して下さい。」７０５と、ＯＫキー７０６とが表示される。
【００６４】
ここで、ユーザは、パスワード発行画面７０３を見ながら、設定パスワード７０４を確認し、図７Ｂに示すように、充電装置１２のパスワード入力照合部１２ｅを介して、表示されたパスワード７０４を入力する。例えば、ユーザが、パスワード入力照合部１２ｅの「ｃ」のクリアーキーを押下し、その後、「１」のキー、「２」のキー、「３」のキー、「４」のキーを順番に押下する。
【００６５】
すると、充電装置１２のパスワード入力照合部１２ｅは、ユーザから入力された入力パスワードを受け付ける。ここで、充電装置１２のパスワード入力照合部１２ｅは、当該充電装置１２の装置ＩＤ７０１に対応する装置パスワードテーブル７００の設定パスワード７０２を所定のメモリに保有し、入力された入力パスワードとメモリの設定パスワードとを比較する。そして、入力パスワードが設定パスワードと一致する場合、パスワード入力照合部１２ｅは、充電装置１２の電力供給を実行させる。
【００６６】
具体的には、パスワード入力照合部１２ｅは、充電装置１２の装置本体部１２ｂに電力供給の充電許可信号を入力する。充電装置１２の装置本体部１２ｂでは、スイッチ部等を介して、電源コネクタ１２ｃと電源プラグ１２ａとを予め電気的に切断させた状態であり、装置本体部１２ｂが、パスワード入力照合部１２ｅから許可信号を受信すると、スイッチ部等を介して、電源コネクタ１２ｃを電源プラグ１２ａに電気的に接続して、電源プラグ１２ａからの電力を電源コネクタ１２ｃに供給する。ここで、ユーザ端末１０の充電端子１０ａが充電装置１２の電源コネクタ１２ｃに接続されていれば、ユーザ端末１０は電源コネクタ１２ｃを介して電力供給を受けるため、ユーザ端末１０を充電することが可能となる。尚、装置本体部１２ｂは、電源プラグ１２ａへの電源コネクタ１２ｃの電気的接続後、所定時間経過後又は日付変更後に、電源プラグ１２ａから電源コネクタ１２ｃを電気的に切断することで、同一ユーザによる長期使用又は繰り返し使用を防止する。その他に、装置本体部１２ｂに停止キーが予め設けられ、電気的切断は、ユーザにより停止キーが押下されることによりなされても良い。
【００６７】
ここで、ユーザにパスワードを充電装置１２に入力させることで、サーバ１４にアクセスしたユーザ端末１０のユーザであるというユーザ認証を行わせることが可能となる。又、装置ＩＤ５０１を利用して、サーバ１４の装置パスワードテーブル７００の設定パスワード７０２を充電装置１２のパスワード入力照合部１２ｅのメモリに設定パスワードとして保有させておくことで、充電装置１２のパスワード入力照合部１２ｅは、ユーザ認証の際に、サーバ１４から設定パスワードを取得する必要が無く、サーバ１４との無線通信を不要とし、充電装置１２を安価に構成することが出来る。
【００６８】
尚、例えば、充電装置１２にＬＥＤ１２ｇが設けられている場合は、例えば、電源コネクタ１２ｃが電源プラグ１２ａに電気的に接続されると、電源コネクタ１２ｃに流れる電力を用いてＬＥＤ１２ｇが点灯し、ユーザに、充電装置１２が充電可能であることを知らせるよう構成しても良い。
【００６９】
一方、入力パスワードが設定パスワードと一致しない場合、パスワード入力照合部１２ｅは、特に動作しない。この場合は、電源コネクタ１２ｃは電源プラグ１２ａに電気的に切断された状態のままであるため、ユーザ端末１０の充電は行われない。又、ＬＥＤ１２ｇの点灯も生じない。
【００７０】
ところで、他の方法として、例えば、充電装置１２に装置通信部１２ｆが設けられている場合は、下記のようになる。即ち、充電利用許可部２０５は、先ず、充電開始画面をユーザ端末１０の端末表示部に表示させる。
【００７１】
充電開始画面８００には、図８Ａに示すように、ユーザ端末１０の充電端子１０ａへの充電装置１２の電源コネクタ１２ｃの装着を促すメッセージ「充電装置の電源コネクタをユーザ端末の充電端子に装着して下さい。」８０１と、ＯＫキー８０２とが表示される。
【００７２】
そこで、充電端子１０ａへの電源コネクタ１２ｃの装着が未だであるユーザは、充電開始画面８００を見ながら、ユーザ端末１０の充電端子１０ａへ充電装置１２の電源コネクタ１２ｃを装着する。
【００７３】
次に、充電利用許可部２０５は、装置端末テーブル５００から、現在、アクセスしているユーザ端末１０の端末ＩＤ５０２を参照し、当該参照した端末ＩＤ５０２に対応する装置ＩＤ５０１を取得する。次に、充電利用許可部２０５は、装置通信テーブルを参照する。
【００７４】
装置通信テーブル８０３には、図８Ｂに示すように、充電装置１２の装置ＩＤ８０４と、当該充電装置１２の装置通信部１２ｆをネットワーク１３上で特定可能な装置通信ＩＤ８０５とが関連付けられて記憶されている。この装置通信ＩＤ８０５は、例えば、ルータ１５を経由してネットワーク１３上において充電装置１２の装置通信部１２ｆを識別出来る情報であり、例えば、ＩＰアドレス、ＭＡＣアドレス等を挙げることが出来る。
【００７５】
充電利用許可部２０５は、装置通信テーブル８０３から、取得した装置ＩＤ８０４を参照し、当該参照した装置ＩＤ８０４に対応する装置通信ＩＤ８０５を取得する。そして、充電利用許可部２０５は、当該装置通信ＩＤ８０５に基づいて、ネットワーク１３と、ルータ１５を経由して充電装置１２の装置通信部１２ｆに充電許可信号を送信する。
【００７６】
これに対して、充電装置１２の装置通信部１２ｆが充電許可信号を受信すると、充電装置１２の電力供給を実行させる。具体的には、上述と同様であり、装置通信部１２ｆは、充電装置１２の装置本体部１２ｂに入力し、充電装置１２の装置本体部１２ｂは、装置通信部１２ｆから充電許可信号を受信すると、スイッチ部等を介して、電源コネクタ１２ｃを電源プラグ１２ａに電気的に接続して、電源プラグ１２ａからの電力を電源コネクタ１２ｃに供給する。これにより、ユーザは何もすることなく、ユーザ端末１０が接続された充電装置１２を自動的に充電可能状態にして、ユーザ端末１０を自動的に充電させることが可能となる。尚、電源プラグ１２ａへの電源コネクタ１２ｃの電気的切断は、上述と同様である。
【００７７】
さて、充電利用許可部２０５が充電装置１２の利用を許可すると、サーバ１４の第二の関連付け部２０６は、前記データベースに関連付けられた装置ＩＤと端末ＩＤに、前記充電装置の利用を示す利用情報を関連付けて記憶させる（図３：Ｓ１１３）。
【００７８】
ここで、第二の関連付け部２０６が利用情報を関連付けて記憶させる方法に特に限定は無い。例えば、第二の関連付け部２０６は、図９Ａに示すように、データベースとする装置端末テーブル５００から、先ほど関連付けられた装置ＩＤ５０１（「ａｂｃ」）及びサーバ１４にアクセスしたユーザ端末１０の端末ＩＤ５０２（「ａ０１」）を参照し、当該参照した装置ＩＤ５０１と端末ＩＤ５０２とに対して、利用情報９００（例えば、「利用」）を関連付けて記憶させる。関連付けられた装置ＩＤ５０１は、現在、充電が許可された充電装置１２の装置ＩＤであり、関連付けられた端末ＩＤ５０２は、先ほど、サーバ１４にアクセスしたユーザ端末１０の端末ＩＤである。これにより、充電装置１２に、当該充電装置１２を利用したユーザ端末１０を紐付けることが可能となる。
【００７９】
そして、サーバ１４の利用率算出部２０７は、前記データベースの装置ＩＤにおける端末ＩＤの数を、前記サーバ１４にアクセスしたアクセスユーザ端末の数とし、当該端末ＩＤに関連付けられた利用情報の数を、前記充電サービスを利用した利用ユーザ端末の数として算出し、前記アクセスユーザ端末の数と前記利用ユーザ端末の数との比率を利用率として算出する（図３：Ｓ１１４）。
【００８０】
ここで、利用率算出部２０７が利用率を算出する方法に特に限定は無い。例えば、利用率算出部２０７は、図９Ａに示すように、データベースとする装置端末テーブル５００を参照し、先ず、端末ＩＤ５０２の数（ここでは、「１」）をアクセスユーザ端末の数として算出する。次に、利用率算出部２０７は、装置端末テーブル５００のうち、端末ＩＤ５０２に関連付けられた利用情報８００の数（ここでは、「１」）を利用ユーザ端末の数として算出する。現時点では、１人のユーザのユーザ端末１０がサーバ１４にアクセスして、充電サービスを利用したため、アクセスユーザ端末の数は「１」となり、利用ユーザ端末の数は「１」となる。そして、利用率算出部２０７は、利用ユーザ端末の数をアクセスユーザ端末の数で除算することで得られる比率（ここでは、百分率を単位とする「１００％」）を利用率として算出する。これにより、サーバ１４にアクセスしたユーザ端末１０のうち、実際に充電装置１２を利用したユーザ端末１０の利用率を簡単に算出することが出来る。そして、算出される利用率の高低から、充電サービスの有効性を判断することが出来る。
【００８１】
特に、本発明の実施形態では、ユーザ端末１０に広告画面６００を一定時間表示させた上で、ユーザ端末１０に充電サービスを利用させる構成であることから、広告画面６００内の広告情報６０１の内容が利用率に影響する。そのため、利用率の高低から、広告情報６０１の見直しや改善が可能となり、ユーザにとって魅力的な広告情報６０１の選定に極めて役に立つ。
【００８２】
ところで、Ｓ１０７において、ユーザ端末１０は、充電サービスを受けるためにサーバ１４にアクセスしたものの、結局、充電サービスを受けなかった場合であっても、データベースにその履歴が残っている。そのため、Ｓ１１４において、利用率算出部２０７は、同様の処理を行い、利用率を算出するが、この場合、データベースとする装置端末テーブル５００の装置ＩＤ５０１と端末ＩＤ５０２とに対して利用情報９００は存在しない。そして、１人のユーザのユーザ端末１０がサーバ１４にアクセスして、充電サービスを利用しなかったため、アクセスユーザ端末の数は「１」であるが、利用ユーザ端末の数は「０」となり、利用率は「０％」となる。この場合であっても、実際に充電装置１２を利用したユーザ端末１０の利用率を簡単に算出することが出来る。
【００８３】
このように、ユーザが、充電サービスを受けるためにユーザ端末１０でサーバ１４にアクセスすると、データベースには、充電装置１２の装置ＩＤに端末ＩＤが紐付けられ、ユーザが、一定時間表示される広告画面を経て、充電サービスを受けると、紐付けられた端末ＩＤに利用情報が紐付けられる。そして、ユーザが充電サービスを終えて、充電装置１２から離れ、新たなユーザが来て、この充電装置１２に接近し、充電サービスを受けるためにユーザ端末１０でサーバ１４にアクセスすると、再度、Ｓ１０１に戻り、Ｓ１１４までの処理となる。このような処理を繰り返すことで、データベースには、充電装置１２の装置ＩＤに対して複数の端末ＩＤが紐付けられ、広告画面を経て、充電サービスを受けたユーザ端末１０の端末ＩＤに対しては、利用情報が紐付けられる。これにより、特定の充電装置１２に対して複数のユーザ端末１０の充電サービスの利用の履歴をデータベースに蓄積することが出来る。
【００８４】
例えば、４人のユーザのユーザ端末１０のそれぞれが充電サービスを受けるために異なる日（又は時間帯）にサーバ１４にアクセスし、広告画面を経て、最初と最後のユーザ端末１０が充電サービスを利用した場合、図９Ｂに示すように、データベースである装置端末テーブル５００において特定の充電ＩＤ５０１に対して紐付けられた４つの端末ＩＤ５０２のうち、最初と最後の端末ＩＤ５０２には、利用情報９００が紐付けられる。この場合は、利用率算出部２０７は、アクセスユーザ端末の数を「４」と算出し、利用ユーザ端末の数を「２」と算出し、利用率を「５０％」と算出することになる。
【００８５】
複数のユーザ端末１０による充電装置１２の利用率が分かることで、上述したように、広告画面６００の内容の良し悪しに加えて、充電サービスの利用に至るまでの価格の高低、充電装置１２の設置場所の良し悪し等の充電サービスの見直しや改善も行うことが可能となり、充電サービスを最適化することが出来る。又、利用率の高低から、外部施設１１に対するユーザの訪問率への影響を検討したり、ユーザ端末１０を保有するユーザの囲い込みを行うための充電サービスを提案したりすることも可能となる。
【００８６】
尚、本発明の実施形態では、データベースである装置端末テーブル５００において、必要最小限の項目である装置ＩＤ５０１と端末ＩＤ５０２と利用情報９００とを設けたが、必要に応じて、適宜、他の項目を追加して、様々な観点から利用率を解析出来るようにしても良い。例えば、図１０Ａに示すように、装置端末テーブル５００に日時情報１０００の項目を設け、日時情報１０００には、ユーザ端末１０がサーバ１４にアクセスした日時を記憶させる。日時情報１０００の取得は、例えば、端末ＩＤ取得部２０２が、端末ＩＤの取得に伴って、サーバ１４に予め設けられた所定の時計部から現在の日時を取得することでなされる。装置端末テーブル５００に日時情報１０００を追加することで、利用率算出部２０７が、利用率を算出する際に、装置端末テーブル５００の日時情報１０００に基づいて、端末ＩＤ５０２と利用情報９００とを、例えば、日毎に分類し、分類した端末ＩＤ５０２と利用情報９００とに基づいて、特定の日における利用率を算出する。又、利用率算出部２０７が、端末ＩＤ５０２と利用情報９００とを、時間帯毎に分類し、分類した端末ＩＤ５０２と利用情報９００とに基づいて、特定の時間帯における利用率を算出する。分類対象は、日や時間帯以外に週や月、年であっても良い。時間帯は、例えば、午前９時〜午前１０時等、事業者等により適宜設定される。これにより、日時を踏まえて利用率を詳細に解析して、充電サービスの改善に役立てることが可能となる。
【００８７】
又、本発明の実施形態では、データベースである装置端末テーブル５００において、特定の装置ＩＤ５０１に対する端末ＩＤ５０２と利用情報９００との蓄積であったが、様々な場所の外部施設１１に設置した複数の充電装置１２のそれぞれの利用率を算出し、様々な観点から充電装置１２毎の利用率を解析出来るようにしても良い。例えば、図１０Ｂに示すように、第一の場所には、装置ＩＤ５０１が「ａｂｃ」の充電装置１２を設置し、第二の場所には、装置ＩＤ５０１が「ｄｅｆ」の充電装置１２を設置し、それぞれの場所の充電装置１２で充電サービスを利用するユーザ端末１０の利用の履歴を収集する。そして、利用率算出部２０７が、装置端末テーブル５００の装置ＩＤ５０１に基づいて、端末ＩＤ５０２と利用情報９００とを、装置ＩＤ５０１毎に分類し、分類した端末ＩＤ５０２と利用情報９００とに基づいて、装置ＩＤ５０１毎の利用率を算出する。これにより、充電装置１２を設置した場所（外部施設１１）を踏まえて利用率を詳細に解析し、充電サービスの改善に役立てることが可能となる。
【００８８】
又、本発明の実施形態では、ユーザ端末１０と充電装置１２とを有線で接続して充電する有線充電の形態であったが、充電の形態に特に限定は無く、例えば、ユーザ端末１０と充電装置１２とを、電磁誘導等に基づいた無線で充電する無線充電の形態であっても良い。その場合、例えば、ユーザ端末１０の充電端子１０ａが、無線充電用の受電部となり、充電装置１２の電源コネクタ１２ｃが、無線充電用の送電部となる。
【００８９】
又、本発明の実施形態では、充電解析システム１が各部を備えるよう構成したが、当該各部を実現するプログラムを記憶媒体に記憶させ、当該記憶媒体を提供するよう構成しても構わない。当該構成では、前記プログラムを装置に読み出させ、当該装置が前記各部を実現する。その場合、前記記録媒体から読み出されたプログラム自体が本発明の作用効果を奏する。さらに、各部が実行するステップをハードディスクに記憶させる方法として提供することも可能である。
【産業上の利用可能性】
【００９０】
以上のように、本発明に係る充電解析システム及び充電解析方法は、有料、無料を問わず、充電装置で充電サービスを提供するあらゆる分野・業種の外部施設に有用であり、充電装置に対するユーザの利用率を簡単に把握することが可能な充電解析システム及び充電解析方法として有効である。
【符号の説明】
【００９１】
１  充電解析システム
１０  ユーザ端末
１１  外部施設
１２  充電装置
１３  ネットワーク
１４  サーバ
１５  ルータ
２０１  装置ＩＤ取得部
２０２  端末ＩＤ取得部
２０３  第一の関連付け部
２０４  表示制御部
２０５  充電利用許可部
２０６  第二の関連付け部
２０７  利用率算出部
【図１】
2019204143.tif 000003
【図２】
2019204143.tif 000004
【図３】
2019204143.tif 000005
【図４】
2019204143.tif 000006
【図５】
2019204143.tif 000007
【図６】
2019204143.tif 000008
【図７】
2019204143.tif 000009
【図８】
2019204143.tif 000010
【図９】
2019204143.tif 000011
【図１０】
2019204143.tif 000012
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
ユーザ端末と、外部施設に設けられた充電装置と、サーバと、前記ユーザ端末と前記サーバとを無線通信可能とするネットワークと、を備える充電解析システムであって、
前記サーバは、
前記ユーザ端末が、前記充電装置に設けられたコードを読み取り、当該コードに対応するＵＲＬの指定のサーバにアクセスすると、当該ユーザ端末がアクセスしたＵＲＬ又は当該ユーザ端末の端末位置情報に基づいて、前記充電装置の装置ＩＤを取得する装置ＩＤ取得部と、
前記アクセスしたユーザ端末の端末識別番号又はクッキーＩＤに基づいて、前記ユーザ端末の端末ＩＤを取得する端末ＩＤ取得部と、
データベースに、前記取得された装置ＩＤと前記取得された端末ＩＤとを関連付けて記憶させる第一の関連付け部と、
前記ユーザ端末のアクセスにより、前記充電装置が設置された外部施設に関係する広告画面を前記ユーザ端末に一定時間表示させる表示制御部と、
前記ユーザ端末が、前記広告画面を経由して、前記充電装置の充電サービスの利用を行うための利用キーを選択すると、前記充電装置の装置ＩＤと、当該充電装置のパスワード入力照合部が照合可能な設定パスワードとを関連付けた装置パスワードテーブルに基づいて、前記装置ＩＤに対応する設定パスワードを取得し、当該取得した設定パスワードを含むパスワード発行画面を前記ユーザ端末に表示させる充電利用許可部と、
前記パスワード発行画面が表示された場合、前記データベースに関連付けられた装置ＩＤと端末ＩＤに、前記充電装置の利用を示す利用情報を関連付けて記憶させる第二の関連付け部と、
前記データベースの装置ＩＤにおける端末ＩＤの数を、前記サーバにアクセスしたアクセスユーザ端末の数とし、当該端末ＩＤに関連付けられた利用情報の数を、前記充電サービスを利用した利用ユーザ端末の数として算出し、前記アクセスユーザ端末の数と前記利用ユーザ端末の数との比率を、前記充電サービスの利用率として算出する利用率算出部と、
を備え、
前記充電装置は、
前記装置ＩＤに対応する設定パスワードをメモリに保有し、ユーザから入力された入力パスワードを受け付けると、当該入力された入力パスワードと前記メモリの設定パスワードとを比較し、前記入力パスワードが前記設定パスワードと一致する場合、前記充電装置の電力供給を実行させるパスワード入力照合部
を備える充電解析システム。
【請求項２】
ユーザ端末と、外部施設に設けられた充電装置と、サーバと、前記ユーザ端末と前記サーバと前記充電装置とを無線通信可能とするネットワークと、を備える充電解析システムであって、
前記サーバは、
前記ユーザ端末が、前記充電装置に設けられたコードを読み取り、当該コードに対応するＵＲＬの指定のサーバにアクセスすると、当該ユーザ端末がアクセスしたＵＲＬ又は当該ユーザ端末の端末位置情報に基づいて、前記充電装置の装置ＩＤを取得する装置ＩＤ取得部と、
前記アクセスしたユーザ端末の端末識別番号又はクッキーＩＤに基づいて、前記ユーザ端末の端末ＩＤを取得する端末ＩＤ取得部と、
データベースに、前記取得された装置ＩＤと前記取得された端末ＩＤとを関連付けて記憶させる第一の関連付け部と、
前記ユーザ端末のアクセスにより、前記充電装置が設置された外部施設に関係する広告画面を前記ユーザ端末に一定時間表示させる表示制御部と、
前記ユーザ端末が、前記広告画面を経由して、前記充電装置の充電サービスの利用を行うための利用キーを選択すると、前記充電装置の装置ＩＤと、当該充電装置の装置通信部を前記ネットワーク上で特定可能な装置通信ＩＤとを関連付けた装置通信テーブルに基づいて、前記装置ＩＤに対応する装置通信ＩＤを取得し、当該取得した装置通信ＩＤに基づいて、前記ネットワークを介して、前記充電装置の装置通信部に充電許可信号を送信する充電利用許可部と、
前記充電許可信号が送信された場合、前記データベースに関連付けられた装置ＩＤと端末ＩＤに、前記充電装置の利用を示す利用情報を関連付けて記憶させる第二の関連付け部と、
前記データベースの装置ＩＤにおける端末ＩＤの数を、前記サーバにアクセスしたアクセスユーザ端末の数とし、当該端末ＩＤに関連付けられた利用情報の数を、前記充電サービスを利用した利用ユーザ端末の数として算出し、前記アクセスユーザ端末の数と前記利用ユーザ端末の数との比率を、前記充電サービスの利用率として算出する利用率算出部と、
を備え、
前記充電装置は、
前記ネットワークを介して、前記充電許可信号を受信すると、前記充電装置の電力供給を実行させる装置通信部
を備える充電解析システム。
【請求項３】
ユーザ端末と、外部施設に設けられた充電装置と、サーバと、前記ユーザ端末と前記サーバとを無線通信可能とするネットワークと、を備える充電解析システムの充電解析方法であって、
前記サーバは、
前記ユーザ端末が、前記充電装置に設けられたコードを読み取り、当該コードに対応するＵＲＬの指定のサーバにアクセスすると、当該ユーザ端末がアクセスしたＵＲＬ又は当該ユーザ端末の端末位置情報に基づいて、前記充電装置の装置ＩＤを取得する装置ＩＤ取得ステップと、
前記アクセスしたユーザ端末の端末識別番号又はクッキーＩＤに基づいて、前記ユーザ端末の端末ＩＤを取得する端末ＩＤ取得ステップと、
データベースに、前記取得された装置ＩＤと前記取得された端末ＩＤとを関連付けて記憶させる第一の関連付けステップと、
前記ユーザ端末のアクセスにより、前記充電装置が設置された外部施設に関係する広告画面を前記ユーザ端末に一定時間表示させる表示制御ステップと、
前記ユーザ端末が、前記広告画面を経由して、前記充電装置の充電サービスの利用を行うための利用キーを選択すると、前記充電装置の装置ＩＤと、当該充電装置のパスワード入力照合部が照合可能な設定パスワードとを関連付けた装置パスワードテーブルに基づいて、前記装置ＩＤに対応する設定パスワードを取得し、当該取得した設定パスワードを含むパスワード発行画面を前記ユーザ端末に表示させる充電利用許可ステップと、
前記パスワード発行画面が表示された場合、前記データベースに関連付けられた装置ＩＤと端末ＩＤに、前記充電装置の利用を示す利用情報を関連付けて記憶させる第二の関連付けステップと、
前記データベースの装置ＩＤにおける端末ＩＤの数を、前記サーバにアクセスしたアクセスユーザ端末の数とし、当該端末ＩＤに関連付けられた利用情報の数を、前記充電サービスを利用した利用ユーザ端末の数として算出し、前記アクセスユーザ端末の数と前記利用ユーザ端末の数との比率を、前記充電サービスの利用率として算出する利用率算出ステップと、
を備え、
前記充電装置は、
ユーザから入力された入力パスワードを受け付けると、当該入力された入力パスワードと、前記充電装置のメモリに保有され、且つ、前記装置ＩＤに対応する設定パスワードとを比較し、前記入力パスワードが前記設定パスワードと一致する場合、前記充電装置の電力供給を実行させるパスワード入力照合ステップ
を備える充電解析システムの充電解析方法。
【請求項４】
ユーザ端末と、外部施設に設けられた充電装置と、サーバと、前記ユーザ端末と前記サーバと前記充電装置とを無線通信可能とするネットワークと、を備える充電解析システムの充電解析方法であって、
前記サーバは、
前記ユーザ端末が、前記充電装置に設けられたコードを読み取り、当該コードに対応するＵＲＬの指定のサーバにアクセスすると、当該ユーザ端末がアクセスしたＵＲＬ又は当該ユーザ端末の端末位置情報に基づいて、前記充電装置の装置ＩＤを取得する装置ＩＤ取得ステップと、
前記アクセスしたユーザ端末の端末識別番号又はクッキーＩＤに基づいて、前記ユーザ端末の端末ＩＤを取得する端末ＩＤ取得ステップと、
データベースに、前記取得された装置ＩＤと前記取得された端末ＩＤとを関連付けて記憶させる第一の関連付けステップと、
前記ユーザ端末のアクセスにより、前記充電装置が設置された外部施設に関係する広告画面を前記ユーザ端末に一定時間表示させる表示制御ステップと、
前記ユーザ端末が、前記広告画面を経由して、前記充電装置の充電サービスの利用を行うための利用キーを選択すると、前記充電装置の装置ＩＤと、当該充電装置の装置通信部を前記ネットワーク上で特定可能な装置通信ＩＤとを関連付けた装置通信テーブルに基づいて、前記装置ＩＤに対応する装置通信ＩＤを取得し、当該取得した装置通信ＩＤに基づいて、前記ネットワークを介して、前記充電装置の装置通信部に充電許可信号を送信する充電利用許可ステップと、
前記充電許可信号が送信された場合、前記データベースに関連付けられた装置ＩＤと端末ＩＤに、前記充電装置の利用を示す利用情報を関連付けて記憶させる第二の関連付けステップと、
前記データベースの装置ＩＤにおける端末ＩＤの数を、前記サーバにアクセスしたアクセスユーザ端末の数とし、当該端末ＩＤに関連付けられた利用情報の数を、前記充電サービスを利用した利用ユーザ端末の数として算出し、前記アクセスユーザ端末の数と前記利用ユーザ端末の数との比率を、前記充電サービスの利用率として算出する利用率算出ステップと、
を備え、
前記充電装置は、
前記ネットワークを介して、前記充電許可信号を受信すると、前記充電装置の電力供給を実行させる装置通信ステップ
を備える充電解析システムの充電解析方法。
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
ユーザ端末と、外部施設に設けられた充電装置と、サーバと、前記ユーザ端末と前記サーバとを無線通信可能とするネットワークと、を備える充電解析システムであって、
前記サーバは、
前記ユーザ端末が、前記充電装置に設けられたコードを読み取り、当該コードに対応するＵＲＬの指定のサーバにアクセスすると、当該ユーザ端末がアクセスしたＵＲＬ又は当該ユーザ端末の端末位置情報に基づいて、前記充電装置の装置ＩＤを取得する装置ＩＤ取得部と、
前記アクセスしたユーザ端末の端末識別番号又はクッキーＩＤに基づいて、前記ユーザ端末の端末ＩＤを取得する端末ＩＤ取得部と、
装置端末テーブルに、前記取得された装置ＩＤと前記取得された端末ＩＤとを関連付けて記憶させる第一の関連付け部と、
前記ユーザ端末のアクセスにより、前記充電装置が設置された外部施設に関係する広告画面を前記ユーザ端末に一定時間表示させる表示制御部と、
前記ユーザ端末が、前記広告画面を経由して、前記充電装置の充電サービスの利用を行うための利用キーを選択すると、前記装置端末テーブルから、現在、アクセスしている前記ユーザ端末の端末ＩＤを参照し、当該参照した端末ＩＤに対応する装置ＩＤを取得し、前記充電装置の装置ＩＤと、当該充電装置のパスワード入力照合部が照合可能な設定パスワードとを関連付けた装置パスワードテーブルに基づいて、当該装置パスワードテーブルから、前記取得した装置ＩＤを参照し、当該参照した装置ＩＤに対応する設定パスワードを取得し、当該取得した設定パスワードを含むパスワード発行画面を前記ユーザ端末に表示させることで、前記ユーザ端末に対する前記充電装置の利用を許可する充電利用許可部と、
前記充電装置の利用が許可された場合、前記装置端末テーブルに関連付けられた装置ＩＤと端末ＩＤに、前記充電装置の利用を示す利用情報を関連付けて記憶させる第二の関連付け部と、
前記装置端末テーブルの装置ＩＤにおける端末ＩＤの数を、前記サーバにアクセスしたアクセスユーザ端末の数とし、当該端末ＩＤに関連付けられた利用情報の数を、前記充電サービスを利用した利用ユーザ端末の数として算出し、前記アクセスユーザ端末の数と前記利用ユーザ端末の数との比率を、前記充電サービスの利用率として算出する利用率算出部と、
を備え、
前記充電装置は、
本充電装置の装置ＩＤに対応する設定パスワードをメモリに保有し、ユーザから入力された入力パスワードを受け付けると、当該入力された入力パスワードと前記メモリの設定パスワードとを比較し、前記入力パスワードが前記設定パスワードと一致する場合、前記充電装置の電力供給を実行させるパスワード入力照合部
を備える充電解析システム。
【請求項２】
ユーザ端末と、外部施設に設けられた充電装置と、サーバと、前記ユーザ端末と前記サーバと前記充電装置とを無線通信可能とするネットワークと、を備える充電解析システムであって、
前記サーバは、
前記ユーザ端末が、前記充電装置に設けられたコードを読み取り、当該コードに対応するＵＲＬの指定のサーバにアクセスすると、当該ユーザ端末がアクセスしたＵＲＬ又は当該ユーザ端末の端末位置情報に基づいて、前記充電装置の装置ＩＤを取得する装置ＩＤ取得部と、
前記アクセスしたユーザ端末の端末識別番号又はクッキーＩＤに基づいて、前記ユーザ端末の端末ＩＤを取得する端末ＩＤ取得部と、
装置端末テーブルに、前記取得された装置ＩＤと前記取得された端末ＩＤとを関連付けて記憶させる第一の関連付け部と、
前記ユーザ端末のアクセスにより、前記充電装置が設置された外部施設に関係する広告画面を前記ユーザ端末に一定時間表示させる表示制御部と、
前記ユーザ端末が、前記広告画面を経由して、前記充電装置の充電サービスの利用を行うための利用キーを選択すると、前記装置端末テーブルから、現在、アクセスしている前記ユーザ端末の端末ＩＤを参照し、当該参照した端末ＩＤに対応する装置ＩＤを取得し、前記充電装置の装置ＩＤと、当該充電装置の装置通信部を前記ネットワーク上で特定可能な装置通信ＩＤとを関連付けた装置通信テーブルに基づいて、当該装置通信テーブルから、前記取得した装置ＩＤを参照し、当該参照した装置ＩＤに対応する装置通信ＩＤを取得し、当該取得した装置通信ＩＤに基づいて、前記ネットワークを介して、前記充電装置の装置通信部に充電許可信号を送信することで、前記ユーザ端末に対する前記充電装置の利用を許可する充電利用許可部と、
前記充電装置の利用が許可された場合、前記装置端末テーブルに関連付けられた装置ＩＤと端末ＩＤに、前記充電装置の利用を示す利用情報を関連付けて記憶させる第二の関連付け部と、
前記装置端末テーブルの装置ＩＤにおける端末ＩＤの数を、前記サーバにアクセスしたアクセスユーザ端末の数とし、当該端末ＩＤに関連付けられた利用情報の数を、前記充電サービスを利用した利用ユーザ端末の数として算出し、前記アクセスユーザ端末の数と前記利用ユーザ端末の数との比率を、前記充電サービスの利用率として算出する利用率算出部と、
を備え、
前記充電装置は、
前記ネットワークを介して、前記充電許可信号を受信すると、前記充電装置の電力供給を実行させる装置通信部
を備える充電解析システム。
【請求項３】
ユーザ端末と、外部施設に設けられた充電装置と、サーバと、前記ユーザ端末と前記サーバとを無線通信可能とするネットワークと、を備える充電解析システムの充電解析方法であって、
前記サーバは、
前記ユーザ端末が、前記充電装置に設けられたコードを読み取り、当該コードに対応するＵＲＬの指定のサーバにアクセスすると、当該ユーザ端末がアクセスしたＵＲＬ又は当該ユーザ端末の端末位置情報に基づいて、前記充電装置の装置ＩＤを取得する装置ＩＤ取得ステップと、
前記アクセスしたユーザ端末の端末識別番号又はクッキーＩＤに基づいて、前記ユーザ端末の端末ＩＤを取得する端末ＩＤ取得ステップと、
装置端末テーブルに、前記取得された装置ＩＤと前記取得された端末ＩＤとを関連付けて記憶させる第一の関連付けステップと、
前記ユーザ端末のアクセスにより、前記充電装置が設置された外部施設に関係する広告画面を前記ユーザ端末に一定時間表示させる表示制御ステップと、
前記ユーザ端末が、前記広告画面を経由して、前記充電装置の充電サービスの利用を行うための利用キーを選択すると、前記装置端末テーブルから、現在、アクセスしている前記ユーザ端末の端末ＩＤを参照し、当該参照した端末ＩＤに対応する装置ＩＤを取得し、前記充電装置の装置ＩＤと、当該充電装置のパスワード入力照合部が照合可能な設定パスワードとを関連付けた装置パスワードテーブルに基づいて、当該装置パスワードテーブルから、前記取得した装置ＩＤを参照し、当該参照した装置ＩＤに対応する設定パスワードを取得し、当該取得した設定パスワードを含むパスワード発行画面を前記ユーザ端末に表示させることで、前記ユーザ端末に対する前記充電装置の利用を許可する充電利用許可ステップと、
前記充電装置の利用が許可された場合、前記装置端末テーブルに関連付けられた装置ＩＤと端末ＩＤに、前記充電装置の利用を示す利用情報を関連付けて記憶させる第二の関連付けステップと、
前記装置端末テーブルの装置ＩＤにおける端末ＩＤの数を、前記サーバにアクセスしたアクセスユーザ端末の数とし、当該端末ＩＤに関連付けられた利用情報の数を、前記充電サービスを利用した利用ユーザ端末の数として算出し、前記アクセスユーザ端末の数と前記利用ユーザ端末の数との比率を、前記充電サービスの利用率として算出する利用率算出ステップと、
を備え、
前記充電装置は、
本充電装置の装置ＩＤに対応する設定パスワードをメモリに保有し、
ユーザから入力された入力パスワードを受け付けると、当該入力された入力パスワードと、前記メモリの設定パスワードとを比較し、前記入力パスワードが前記設定パスワードと一致する場合、前記充電装置の電力供給を実行させるパスワード入力照合ステップ
を備える充電解析システムの充電解析方法。
【請求項４】
ユーザ端末と、外部施設に設けられた充電装置と、サーバと、前記ユーザ端末と前記サーバと前記充電装置とを無線通信可能とするネットワークと、を備える充電解析システムの充電解析方法であって、
前記サーバは、
前記ユーザ端末が、前記充電装置に設けられたコードを読み取り、当該コードに対応するＵＲＬの指定のサーバにアクセスすると、当該ユーザ端末がアクセスしたＵＲＬ又は当該ユーザ端末の端末位置情報に基づいて、前記充電装置の装置ＩＤを取得する装置ＩＤ取得ステップと、
前記アクセスしたユーザ端末の端末識別番号又はクッキーＩＤに基づいて、前記ユーザ端末の端末ＩＤを取得する端末ＩＤ取得ステップと、
装置端末テーブルに、前記取得された装置ＩＤと前記取得された端末ＩＤとを関連付けて記憶させる第一の関連付けステップと、
前記ユーザ端末のアクセスにより、前記充電装置が設置された外部施設に関係する広告画面を前記ユーザ端末に一定時間表示させる表示制御ステップと、
前記ユーザ端末が、前記広告画面を経由して、前記充電装置の充電サービスの利用を行うための利用キーを選択すると、前記装置端末テーブルから、現在、アクセスしている前記ユーザ端末の端末ＩＤを参照し、当該参照した端末ＩＤに対応する装置ＩＤを取得し、前記充電装置の装置ＩＤと、当該充電装置の装置通信部を前記ネットワーク上で特定可能な装置通信ＩＤとを関連付けた装置通信テーブルに基づいて、当該装置通信テーブルから、前記取得した装置ＩＤを参照し、当該参照した装置ＩＤに対応する装置通信ＩＤを取得し、当該取得した装置通信ＩＤに基づいて、前記ネットワークを介して、前記充電装置の装置通信部に充電許可信号を送信することで、前記ユーザ端末に対する前記充電装置の利用を許可する充電利用許可ステップと、
前記充電装置の利用が許可された場合、前記装置端末テーブルに関連付けられた装置ＩＤと端末ＩＤに、前記充電装置の利用を示す利用情報を関連付けて記憶させる第二の関連付けステップと、
前記装置端末テーブルの装置ＩＤにおける端末ＩＤの数を、前記サーバにアクセスしたアクセスユーザ端末の数とし、当該端末ＩＤに関連付けられた利用情報の数を、前記充電サービスを利用した利用ユーザ端末の数として算出し、前記アクセスユーザ端末の数と前記利用ユーザ端末の数との比率を、前記充電サービスの利用率として算出する利用率算出ステップと、
を備え、
前記充電装置は、
前記ネットワークを介して、前記充電許可信号を受信すると、前記充電装置の電力供給を実行させる装置通信ステップ
を備える充電解析システムの充電解析方法。